(57)【要約】【課題】オイルタンク内に存するオイル、およびターボ冷凍機内に存する冷媒を回収することなくヒーターを交換または点検することができるターボ冷凍機用圧縮機のオイルタンクおよびターボ冷凍機用圧縮機を提供すること。【解決手段】底面板１１と、該底面板１１の外周縁部から上方に向かって立設された側面板１２，１３と、を備え、ターボ冷凍機用圧縮機３Ａを構成するケーシング１４の底部を形成するターボ冷凍機用圧縮機３Ａのオイルタンク１０であって、前記側面板１２には、板厚方向に貫通する貫通穴２１が設けられており、この貫通穴２１内には、先端が閉塞端とされた保護管２２が挿通されているとともに、この保護管２２内には、当該保護管２２に対して抜き差し可能に構成された棒状のヒーター２６が挿通されている。【選択図】図１
2014173435.tif 000002
【特許請求の範囲】
【請求項１】
底面板と、該底面板の外周縁部から上方に向かって立設された側面板と、を備え、ターボ冷凍機用圧縮機を構成するケーシングの底部を形成するターボ冷凍機用圧縮機のオイルタンクであって、
前記側面板には、板厚方向に貫通する貫通穴が設けられており、この貫通穴内には、先端が閉塞端とされた保護管が挿通されているとともに、この保護管内には、当該保護管に対して抜き差し可能に構成された棒状のヒーターが挿通されていることを特徴とするターボ冷凍機用圧縮機のオイルタンク。
【請求項２】
前記貫通穴が、前記側面板の最低部に設けられていることを特徴とする請求項１に記載のターボ冷凍機用圧縮機のオイルタンク。
【請求項３】
前記保護管と前記ヒーターとの間に、熱伝導率の大きい伝熱流体が充填されていることを特徴とする請求項１または２に記載のターボ冷凍機用圧縮機のオイルタンク。
【請求項４】
底面板と、該底面板の外周縁部から上方に向かって立設された側面板と、を備え、ターボ冷凍機用圧縮機を構成するケーシングの底部を形成するターボ冷凍機用圧縮機のオイルタンクであって、
前記底面板の内部には、当該底面板の一端面から、該一端面の反対側に位置する他端面に向かって延びる穴が設けられており、この穴内には、当該穴に対して抜き差し可能に構成された棒状のヒーターが挿通されていることを特徴とするターボ冷凍機用圧縮機のオイルタンク。
【請求項５】
前記穴と前記ヒーターとの間に、熱伝導率の大きい伝熱流体が充填されていることを特徴とする請求項４に記載のターボ冷凍機用圧縮機のオイルタンク。
【請求項６】
底面板と、該底面板の外周縁部から上方に向かって立設された側面板と、を備え、ターボ冷凍機用圧縮機を構成するケーシングの底部を形成するターボ冷凍機用圧縮機のオイルタンクであって、
前記底面板の外表面、または、前記底面板の外表面および前記側面板の外表面には、シート状のヒーターが、前記外表面を覆うようにして取り付けられていることを特徴とするターボ冷凍機用圧縮機のオイルタンク。
【請求項７】
前記ヒーターと前記外表面との間に、熱伝導率の大きいシート状の金属が双方に密着するようにして挟み込まれていることを特徴とする請求項６に記載のターボ冷凍機用圧縮機のオイルタンク。
【請求項８】
前記底面板の上面から上方に向かって突出する複数枚の伝熱フィンが設けられていることを特徴とする請求項４から７のいずれか一項に記載のターボ冷凍機用圧縮機のオイルタンク。
【請求項９】
請求項１から８のいずれか一項に記載のターボ冷凍機用圧縮機のオイルタンクを備えていることを特徴とするターボ冷凍機用圧縮機。
【請求項１０】
請求項９に記載のターボ冷凍機用圧縮機を備えていることを特徴とするターボ冷凍機。
【発明の詳細な説明】
【技術分野】
【０００１】
本発明は、ターボ冷凍機用圧縮機のオイルタンクおよびターボ冷凍機用圧縮機に関するものである。
【背景技術】
【０００２】
ターボ冷凍機用圧縮機のオイルタンクとしては、例えば、特許文献１の図２に記載されたヒーター３０を備えたオイルタンク１３や、特許文献２の第１図（Ａ）、第２図（Ａ）に記載されたオイルヒータ６を備えた油タンク室２が知られている。
【先行技術文献】
【特許文献】
【０００３】
【特許文献１】特開２０１１−２６９５８号公報
【特許文献２】実公平４−４２５６０号公報
【発明の概要】
【発明が解決しようとする課題】
【０００４】
しかしながら、上記特許文献１に記載されたヒーター３０を備えたオイルタンク１３や、上記特許文献２に記載されたオイルヒータ６を備えた油タンク室２では、ヒーター３０やオイルヒータ６に不具合が生じ、ヒーター３０やオイルヒータ６を交換しなければならなくなった場合、オイルタンク１３内に存するオイル、油タンク室２内に存するオイル、およびターボ冷凍機内に存する冷媒をすべて回収した後にヒーター３０やオイルヒータ６の交換を行わなければならない。
【０００５】
本発明は、上記課題を解決するためになされたものであり、オイルタンク内に存するオイル、およびターボ冷凍機内に存する冷媒を回収することなくヒーターを交換または点検することができるターボ冷凍機用圧縮機のオイルタンクおよびターボ冷凍機用圧縮機を提供することを目的とする。
【課題を解決するための手段】
【０００６】
本発明は、上記の課題を解決するため、下記の手段を採用した。
本発明に係るターボ冷凍機用圧縮機のオイルタンクは、底面板と、該底面板の外周縁部から上方に向かって立設された側面板と、を備え、ターボ冷凍機用圧縮機を構成するケーシングの底部を形成するターボ冷凍機用圧縮機のオイルタンクであって、前記側面板には、板厚方向に貫通する貫通穴が設けられており、この貫通穴内には、先端が閉塞端とされた保護管が挿通されているとともに、この保護管内には、当該保護管に対して抜き差し可能に構成された棒状のヒーターが挿通されている。
【０００７】
本発明に係るターボ冷凍機用圧縮機のオイルタンクによれば、ヒーターの交換または点検が、保護管に対してヒーターを抜き差しするだけで行われることになる。すなわち、ヒーターの交換または点検は、保護管が、オイルタンクを構成する側面板に固定されたままの状態で行われることになる。
これにより、オイルタンク内に存するオイル、およびターボ冷凍機内に存する冷媒を回収することなくヒーターを交換または点検することができる。
【０００８】
上記ターボ冷凍機用圧縮機のオイルタンクにおいて、前記貫通穴が、前記側面板の最低部に設けられているとさらに好適である。
【０００９】
このようなターボ冷凍機用圧縮機のオイルタンクによれば、ヒーターによって温められたオイルの対流を促進することができ、オイルタンク内のオイルを効率よく温めることができる。
【００１０】
上記ターボ冷凍機用圧縮機のオイルタンクにおいて、前記保護管と前記ヒーターとの間に、熱伝導率の大きい伝熱流体が充填されているとさらに好適である。
【００１１】
このようなターボ冷凍機用圧縮機のオイルタンクによれば、ヒーターから保護管への熱伝達率をよくすることができ、出力の小さいヒーターを採用することができる。
【００１２】
本発明に係るターボ冷凍機用圧縮機のオイルタンクは、底面板と、該底面板の外周縁部から上方に向かって立設された側面板と、を備え、ターボ冷凍機用圧縮機を構成するケーシングの底部を形成するターボ冷凍機用圧縮機のオイルタンクであって、前記底面板の内部には、当該底面板の一端面から、該一端面の反対側に位置する他端面に向かって延びる穴が設けられており、この穴内には、当該穴に対して抜き差し可能に構成された棒状のヒーターが挿通されている。
【００１３】
本発明に係るターボ冷凍機用圧縮機のオイルタンクによれば、ヒーターの交換または点検が、底面板の内部に設けられた穴に対してヒーターを抜き差しするだけで行われることになる。
これにより、オイルタンク内に存するオイル、およびターボ冷凍機内に存する冷媒を回収することなくヒーターを交換または点検することができる。
【００１４】
上記ターボ冷凍機用圧縮機のオイルタンクにおいて、前記穴と前記ヒーターとの間に、熱伝導率の大きい伝熱流体が充填されているとさらに好適である。
【００１５】
このようなターボ冷凍機用圧縮機のオイルタンクによれば、ヒーターから底面板への熱伝達率をよくすることができ、出力の小さいヒーターを採用することができる。
【００１６】
本発明に係るターボ冷凍機用圧縮機のオイルタンクは、底面板と、該底面板の外周縁部から上方に向かって立設された側面板と、を備え、ターボ冷凍機用圧縮機を構成するケーシングの底部を形成するターボ冷凍機用圧縮機のオイルタンクであって、前記底面板の外表面、または、前記底面板の外表面および前記側面板の外表面には、シート状のヒーターが、前記外表面を覆うようにして取り付けられている。
【００１７】
本発明に係るターボ冷凍機用圧縮機のオイルタンクによれば、ヒーターの交換または点検が、底面板の外表面、または、底面板の外表面および側面板の外表面に取り付けられたヒーターを脱着するだけで行われることになる。
これにより、オイルタンク内に存するオイル、およびターボ冷凍機内に存する冷媒を回収することなくヒーターを交換または点検することができる。
【００１８】
上記ターボ冷凍機用圧縮機のオイルタンクにおいて、前記ヒーターと前記外表面との間に、熱伝導率の大きいシート状の金属が双方に密着するようにして挟み込まれているとさらに好適である。
【００１９】
このようなターボ冷凍機用圧縮機のオイルタンクによれば、ヒーターからオイルタンクの外表面への熱伝達率をよくすることができ、出力の小さいヒーターを採用することができる。
【００２０】
上記ターボ冷凍機用圧縮機のオイルタンクにおいて、前記底面板の上面から上方に向かって突出する複数枚の伝熱フィンが設けられているとさらに好適である。
【００２１】
このようなターボ冷凍機用圧縮機のオイルタンクによれば、ヒーターによって温められる底面板とオイルとの接触面積を増大させることができ、オイルをより効率よく温めることができて、より出力の小さいヒーターを採用することができる。
【００２２】
本発明に係るターボ冷凍機用圧縮機は、上記いずれかの態様に係るターボ冷凍機用圧縮機のオイルタンクを備えている。
【００２３】
本発明に係るターボ冷凍機用圧縮機によれば、オイルタンク内に存するオイル、およびターボ冷凍機内に存する冷媒を回収することなく、オイルタンクに取り付けられたヒーターを交換または点検することができる。
また、本発明に係るターボ冷凍機用圧縮機によれば、オイルタンク内に存するオイル、およびターボ冷凍機内に存する冷媒を回収することなく、オイルタンクに取り付けられたヒーターを交換または点検することができるので、ヒーターの交換または点検に要する作業時間を大幅に低減させることができ、その稼働率および信頼性を向上させることができる。
【００２４】
本発明に係るターボ冷凍機は、上記ターボ冷凍機用圧縮機を備えている。
【００２５】
本発明に係るターボ冷凍機によれば、ターボ冷凍機用圧縮機のオイルタンクに取り付けられたヒーターの交換または点検に要する作業時間が大幅に低減されることになるので、その稼働率および信頼性を向上させることができる。
【発明の効果】
【００２６】
本発明に係るターボ冷凍機用圧縮機のオイルタンクおよびターボ冷凍機用圧縮機によれば、オイルタンク内に存するオイル、およびターボ冷凍機内に存する冷媒を回収することなくヒーターを交換または点検することができるという効果を奏する。
【図面の簡単な説明】
【００２７】
【図１】本発明の第１実施形態に係るターボ冷凍機用圧縮機のオイルタンクを一部断面で示す図である。
【図２】本発明の第２実施形態に係るターボ冷凍機用圧縮機のオイルタンクを一部断面で示す図である。
【図３】本発明の第３実施形態に係るターボ冷凍機用圧縮機のオイルタンクを一部断面で示す図である。
【図４】本発明の第４実施形態に係るターボ冷凍機用圧縮機のオイルタンクを一部断面で示す図である。
【発明を実施するための形態】
【００２８】
〔第１実施形態〕
以下、本発明の第１実施形態に係るターボ冷凍機用圧縮機のオイルタンク、および本発明の第１実施形態に係るターボ冷凍機用圧縮機のオイルタンクを備えたターボ冷凍機用圧縮機、ならびに本発明の第１実施形態に係るターボ冷凍機用圧縮機を備えたターボ冷凍機について、図１を用いて説明する。
図１に示すように、本実施形態に係るターボ冷凍機１Ａは、例えば、空気調節用の冷却水を生成するためにビルディングや工場に設置されるものであり、電動機２によって回転駆動され冷媒蒸気を圧縮して高圧蒸気にするターボ冷凍機用圧縮機（ターボ形圧縮機）３Ａと、冷水を蒸発させる蒸発器（図示せず）と、高圧蒸気を冷却水で冷却して凝縮させる凝縮器（図示せず）と、凝縮した冷媒を減圧して膨張させて蒸発器に送る膨張機（図示せず）と、を備えている。ターボ冷凍機用圧縮機３Ａ、蒸発器、凝縮器、および膨張機は、冷媒を循環させる冷媒配管（図示せず）によって連結されている。
【００２９】
ターボ冷凍機用圧縮機３Ａのオイルタンク１０は、底面板１１と、底面板１１の外周縁部から上方に向かって立設された（第１の）側面板１２、（第２の）側面板１３、（第３の）側面板（図示せず）、および（第４の）側面板（図示せず）と、を備え、（第１の）ケーシング（本実施形態では、ターボ冷凍機用圧縮機３Ａを構成する圧縮機ケーシング）１４の底部（下部）を形成している。
【００３０】
底面板１１は、軸方向および左右方向に沿って延びる平面視矩形状を呈する板状の部材である。
側面板１２は、ケーシング１４の一端に取り付けられる（第２の）ケーシング（本実施形態では、電動機２を構成するモータケーシング）１５の側に位置して上下方向に沿って延びる板状の部材である。
側面板１３は、ケーシング１４の他端に取り付けられる（第３の）ケーシング（本実施形態では、ターボ冷凍機用圧縮機３Ａの入口を形成する圧縮機入口ケーシング）１６の側に位置して上下方向に沿って延びる板状の部材である。
【００３１】
側面板１２の底部（下部）、より好ましくは、側面板１２の最低部（最下部）には、板厚方向に貫通する貫通穴２１が設けられている。
貫通穴２１は、側面板１２の手前側（外側）に位置して、保護管２２の基端部に設けられたねじ込み継手２３の雌ねじ部を受け入れる（第１の）貫通穴２４と、側面板１２の奥側（内側）に位置して、保護管２２が挿通される（第２の）貫通穴２５と、を備えている。
【００３２】
貫通穴２４の内周面には、ねじ込み継手２３の外周面に設けられた雌ねじ部と螺合する雄ねじ部が設けられている。
保護管２２の内部には、ヒーター２６が挿通されており、保護管２２とヒーター２６との間には、熱伝導率の大きい（熱伝導に優れた）伝熱流体（例えば、耐熱放熱シリコン材、化学合成油、窒化ホウ素水溶液）が充填されている。
なお、図１中の符号２７はオイル（潤滑油）を示している。
【００３３】
本実施形態に係るターボ冷凍機用圧縮機３Ａのオイルタンク１０、すなわち、ヒーター２６を備えたターボ冷凍機用圧縮機３Ａのオイルタンク１０によれば、ヒーター２６の交換または点検が、保護管２２に対してヒーター２６を抜き差しするだけで行われることになる。すなわち、ヒーター２６の交換または点検は、保護管２６が、オイルタンク１０を構成する側面板１２に固定されたままの状態で行われることになる。
これにより、オイルタンク１０内に存するオイル２７、およびターボ冷凍機１Ａ内に存する冷媒を回収することなくヒーター２６を交換または点検することができる。
【００３４】
また、本実施形態に係るターボ冷凍機用圧縮機３Ａのオイルタンク１０、すなわち、ヒーター２６を備えたターボ冷凍機用圧縮機３Ａのオイルタンク１０によれば、貫通穴２１が、側面板１２の最低部に設けられているので、ヒーター２６によって温められたオイル２７の対流を促進することができ、オイルタンク１０内のオイル２７を効率よく温めることができる。
【００３５】
また、本実施形態に係るターボ冷凍機用圧縮機３Ａのオイルタンク１０、すなわち、ヒーター２６を備えたターボ冷凍機用圧縮機３Ａのオイルタンク１０によれば、保護管２２とヒーター２６との間に、熱伝導率の大きい伝熱流体が充填されているので、ヒーター２６から保護管２２への熱伝達率をよくすることができ、出力の小さいヒーターを採用することができる。
【００３６】
本実施形態に係るターボ冷凍機用圧縮機３Ａによれば、オイルタンク１０内に存するオイル２７、およびターボ冷凍機１Ａ内に存する冷媒を回収することなく、オイルタンク１０に取り付けられたヒーター２６を交換または点検することができる。
また、本実施形態に係るターボ冷凍機用圧縮機３Ａによれば、オイルタンク１０内に存するオイル２７、およびターボ冷凍機１Ａ内に存する冷媒を回収することなく、オイルタンク１０に取り付けられたヒーター２６を交換または点検することができるので、ヒーター２６の交換または点検に要する作業時間を大幅に低減させることができ、その稼働率および信頼性を向上させることができる。
【００３７】
本実施形態に係るターボ冷凍機１Ａは、ターボ冷凍機用圧縮機３Ａのオイルタンク１０に取り付けられたヒーター２６の交換または点検に要する作業時間が大幅に低減されることになるので、その稼働率および信頼性を向上させることができる。
【００３８】
〔第２実施形態〕
本発明の第２実施形態に係るターボ冷凍機用圧縮機のオイルタンク、および本発明の第２実施形態に係るターボ冷凍機用圧縮機のオイルタンクを備えたターボ冷凍機用圧縮機、ならびに本発明の第２実施形態に係るターボ冷凍機用圧縮機を備えたターボ冷凍機について、図２を用いて説明する。
図２に示すように、本実施形態に係るターボ冷凍機１Ｂは、例えば、空気調節用の冷却水を生成するためにビルディングや工場に設置されるものであり、電動機２によって回転駆動され冷媒蒸気を圧縮して高圧蒸気にするターボ冷凍機用圧縮機（ターボ形圧縮機）３Ｂと、冷水を蒸発させる蒸発器（図示せず）と、高圧蒸気を冷却水で冷却して凝縮させる凝縮器（図示せず）と、凝縮した冷媒を減圧して膨張させて蒸発器に送る膨張機（図示せず）と、を備えている。ターボ冷凍機用圧縮機３Ｂ、蒸発器、凝縮器、および膨張機は、冷媒を循環させる冷媒配管（図示せず）によって連結されている。
【００３９】
図２に示すように、本実施形態に係るターボ冷凍機用圧縮機３Ｂのオイルタンク３０は、底面板３１と、底面板３１の外周縁部から上方に向かって立設された（第１の）側面板３２、（第２の）側面板３３、（第３の）側面板（図示せず）、および（第４の）側面板（図示せず）と、を備え、（第１の）ケーシング（本実施形態では、ターボ形圧縮機３Ｂを構成する圧縮機ケーシング）３４の底部（下部）を形成している。
【００４０】
底面板３１は、軸方向および左右方向に沿って延びる平面視矩形状を呈する板状の部材である。
側面板３２は、ケーシング３４の一端に取り付けられる（第２の）ケーシング（本実施形態では、電動機２を構成するモータケーシング）１５の側に位置して上下方向に沿って延びる板状の部材である。
側面板３３は、ケーシング３４の他端に取り付けられる（第３の）ケーシング（本実施形態では、ターボ形圧縮機３Ｂの入口を形成する圧縮機入口ケーシング）１６の側に位置して上下方向に沿って延びる板状の部材である。
【００４１】
底面板３１の内部には、ケーシング１５の側に位置して上下方向に沿って延びる底面板３１の端面から、ケーシング１６の側に位置して上下方向に沿って延びる底面板３１の端面の側に向かって軸方向に沿って延びる穴４１が設けられている。
穴４１は、底面板３１の手前側（ケーシング１５の側）に位置して、棒状の（電気）ヒーター（加熱手段）４２の基端部に設けられたねじ込み継手４３の雌ねじ部を受け入れる（第１の）穴４４と、底面板３１の奥側（穴４４の奥側）に位置して、ヒーター４２が挿通される（第２の）穴４５と、を備えている。
【００４２】
穴４４の内周面には、ねじ込み継手４３の外周面に設けられた雌ねじ部と螺合する雄ねじ部が設けられている。
穴４１の内部には、ヒーター４２が挿通されており、穴４１とヒーター４２との間には、熱伝導率の大きい（熱伝導に優れた）伝熱流体（例えば、耐熱放熱シリコン材、化学合成油、窒化ホウ素水溶液）が充填されている。
なお、図２中の符号４６はオイル（潤滑油）を示している。
【００４３】
本実施形態に係るターボ冷凍機用圧縮機３Ｂのオイルタンク３０、すなわち、ヒーター４２を備えたターボ冷凍機用圧縮機３Ｂのオイルタンク３０によれば、ヒーター４２の交換または点検が、底面板３１の内部に設けられた穴４１に対してヒーター４２を抜き差しするだけで行われることになる。
これにより、オイルタンク３０内に存するオイル４６、およびターボ冷凍機１Ｂ内に存する冷媒を回収することなくヒーター４２を交換または点検することができる。
【００４４】
また、本実施形態に係るターボ冷凍機用圧縮機３Ｂのオイルタンク３０、すなわち、ヒーター４２を備えたターボ冷凍機用圧縮機３Ｂのオイルタンク３０によれば、穴４１とヒーター４２との間に、熱伝導率の大きい伝熱流体が充填されているので、ヒーター４２から底面板３１への熱伝達率をよくすることができ、出力の小さいヒーターを採用することができる。
【００４５】
本実施形態に係るターボ冷凍機用圧縮機３Ｂによれば、オイルタンク３０内に存するオイル４６、およびターボ冷凍機１Ｂ内に存する冷媒を回収することなく、オイルタンク３０に取り付けられたヒーター４２を交換または点検することができる。
また、本実施形態に係るターボ冷凍機用圧縮機３Ｂによれば、オイルタンク３０内に存するオイル４６、およびターボ冷凍機１Ｂ内に存する冷媒を回収することなく、オイルタンク３０に取り付けられたヒーター４２を交換または点検することができるので、ヒーター４２の交換または点検に要する作業時間を大幅に低減させることができ、その稼働率および信頼性を向上させることができる。
【００４６】
本実施形態に係るターボ冷凍機１Ｂは、ターボ冷凍機用圧縮機３Ｂのオイルタンク３０に取り付けられたヒーター４２の交換または点検に要する作業時間が大幅に低減されることになるので、その稼働率および信頼性を向上させることができる。
【００４７】
〔第３実施形態〕
本発明の第３実施形態に係るターボ冷凍機用圧縮機のオイルタンク、および本発明の第３実施形態に係るターボ冷凍機用圧縮機のオイルタンクを備えたターボ冷凍機用圧縮機、ならびに本発明の第３実施形態に係るターボ冷凍機用圧縮機を備えたターボ冷凍機について、図３を用いて説明する。
図３に示すように、本実施形態に係るターボ冷凍機１Ｃは、例えば、空気調節用の冷却水を生成するためにビルディングや工場に設置されるものであり、電動機２によって回転駆動され冷媒蒸気を圧縮して高圧蒸気にするターボ冷凍機用圧縮機（ターボ形圧縮機）３Ｃと、冷水を蒸発させる蒸発器（図示せず）と、高圧蒸気を冷却水で冷却して凝縮させる凝縮器（図示せず）と、凝縮した冷媒を減圧して膨張させて蒸発器に送る膨張機（図示せず）と、を備えている。ターボ冷凍機用圧縮機３Ｃ、蒸発器、凝縮器、および膨張機は、冷媒を循環させる冷媒配管（図示せず）によって連結されている。
【００４８】
図３に示すように、本実施形態に係るターボ冷凍機用圧縮機３Ｃのオイルタンク５０は、底面板５１と、底面板５１の外周縁部から上方に向かって立設された（第１の）側面板５２、（第２の）側面板５３、（第３の）側面板５４、および（第４の）側面板（図示せず）と、を備え、（第１の）ケーシング（本実施形態では、ターボ冷凍機用圧縮機３Ｃを構成する圧縮機ケーシング）５５の底部（下部）を形成している。
【００４９】
底面板５１は、軸方向および左右方向に沿って延びる平面視矩形状を呈する板状の部材である。
側面板５２は、ケーシング５５の一端に取り付けられる（第２の）ケーシング（本実施形態では、電動機２を構成するモータケーシング）１５の側に位置して上下方向に沿って延びる板状の部材である。
側面板５３は、ケーシング５５の他端に取り付けられる（第３の）ケーシング（本実施形態では、ターボ冷凍機用圧縮機３Ｃの入口を形成する圧縮機入口ケーシング）１６の側に位置して上下方向に沿って延びる板状の部材である。
【００５０】
側面板５４は、底面板５１の一端側（図３の紙面手前側）に位置して軸方向および上下方向に沿って延びる平面視矩形状を呈する板状の部材であり、図示しない側面板は、底面板５１の他端側（図３の紙面奥側）に位置して軸方向および上下方向に沿って延びる平面視矩形状を呈する板状の部材である。
【００５１】
底面板５１の外表面、側面板５４の外表面、および図示しない側面板の外表面には、帯状（シート状）の（電気）ヒーター６１が、底面板５１の外表面、側面板５４の外表面、および図示しない側面板の外表面を覆うようにして取り付けられている。
【００５２】
底面板５１の外表面、側面板５４の外表面、および図示しない側面板の外表面とヒーター６１との間には、熱伝導率の大きい（熱伝導に優れた）帯状（シート状）の金属（例えば、ＳＵＳ４３０）が双方に密着するようにして挟み込まれている。
【００５３】
本実施形態に係るターボ冷凍機用圧縮機３Ｃのオイルタンク５０、すなわち、ヒーター６１を備えたターボ冷凍機用圧縮機３Ｃのオイルタンク５０によれば、ヒーター６１の交換または点検が、底面板５１の外表面、側面板５４の外表面、および図示しない側面板の外表面に取り付けられたヒーター６１を脱着するだけで行われることになる。
これにより、オイルタンク５０内に存するオイル（図示せず）、およびターボ冷凍機１Ｃ内に存する冷媒を回収することなくヒーター６１を交換または点検することができる。
【００５４】
本実施形態に係るターボ冷凍機用圧縮機３Ｃのオイルタンク５０、すなわち、ヒーター６１を備えたターボ冷凍機用圧縮機３Ｃのオイルタンク５０によれば、ヒーター６１と外表面との間に、熱伝導率の大きいシート状の金属（図示せず）が双方に密着するようにして挟み込まれているので、ヒーター６１からオイルタンク５０の外表面への熱伝達率をよくすることができ、出力の小さいヒーターを採用することができる。
【００５５】
本実施形態に係るターボ冷凍機用圧縮機３Ｃによれば、オイルタンク５０内に存するオイル、およびターボ冷凍機１Ｃ内に存する冷媒を回収することなく、オイルタンク５０に取り付けられたヒーター６１を交換または点検することができる。
また、本実施形態に係るターボ冷凍機用圧縮機３Ｃによれば、オイルタンク５０内に存するオイル、およびターボ冷凍機１Ｃ内に存する冷媒を回収することなく、オイルタンク５０に取り付けられたヒーター６１を交換または点検することができるので、ヒーター６１の交換または点検に要する作業時間を大幅に低減させることができ、その稼働率および信頼性を向上させることができる。
【００５６】
本実施形態に係るターボ冷凍機１Ｃは、ターボ冷凍機用圧縮機３Ｃのオイルタンク５０に取り付けられたヒーター６１の交換または点検に要する作業時間が大幅に低減されることになるので、その稼働率および信頼性を向上させることができる。
【００５７】
〔第４実施形態〕
本発明の第４実施形態に係るターボ冷凍機用圧縮機のオイルタンク、および本発明の第４実施形態に係るターボ冷凍機用圧縮機のオイルタンクを備えたターボ冷凍機用圧縮機、ならびに本発明の第４実施形態に係るターボ冷凍機用圧縮機を備えたターボ冷凍機について、図４を用いて説明する。
図４に示すように、本実施形態に係るターボ冷凍機１Ｄは、例えば、空気調節用の冷却水を生成するためにビルディングや工場に設置されるものであり、電動機２によって回転駆動され冷媒蒸気を圧縮して高圧蒸気にするターボ冷凍機用圧縮機（ターボ形圧縮機）３Ｄと、冷水を蒸発させる蒸発器（図示せず）と、高圧蒸気を冷却水で冷却して凝縮させる凝縮器（図示せず）と、凝縮した冷媒を減圧して膨張させて蒸発器に送る膨張機（図示せず）と、を備えている。ターボ冷凍機用圧縮機３Ｄ、蒸発器、凝縮器、および膨張機は、冷媒を循環させる冷媒配管（図示せず）によって連結されている。
【００５８】
図４に示すように、本実施形態に係るターボ冷凍機用圧縮機３Ｄのオイルタンク７０は、底面板７１と、底面板７１の外周縁部から上方に向かって立設された（第１の）側面板７２、（第２の）側面板７３、（第３の）側面板（図示せず）、および（第４の）側面板（図示せず）と、を備え、（第１の）ケーシング（本実施形態では、ターボ冷凍機用圧縮機３Ｄを構成する圧縮機ケーシング）７４の底部（下部）を形成している。
【００５９】
底面板７１は、軸方向および左右方向に沿って延びる平面視矩形状を呈する板状の部材である。
側面板７２は、ケーシング７４の一端に取り付けられる（第２の）ケーシング（本実施形態では、電動機２を構成するモータケーシング）１５の側に位置して上下方向に沿って延びる板状の部材である。
側面板７３は、ケーシング７４の他端に取り付けられる（第３の）ケーシング（本実施形態では、ターボ冷凍機用圧縮機３Ｄの入口を形成する圧縮機入口ケーシング）１６の側に位置して上下方向に沿って延びる板状の部材である。
【００６０】
底面板７１の内部には、ケーシング１５の側に位置して上下方向に沿って延びる底面板７１の端面から、ケーシング１６の側に位置して上下方向に沿って延びる底面板７１の端面の側に向かって軸方向に沿って延びる穴８１が設けられている。
穴８１は、底面板７１の手前側（ケーシング１５の側）に位置して、棒状の（電気）ヒーター（加熱手段）８２の基端部に設けられたねじ込み継手８３の雌ねじ部を受け入れる（第１の）穴８４と、底面板７１の奥側（穴８４の奥側）に位置して、ヒーター８２が挿通される（第２の）穴８５と、を備えている。
【００６１】
穴８４の内周面には、ねじ込み継手８３の外周面に設けられた雌ねじ部と螺合する雄ねじ部が設けられている。
穴８１の内部には、ヒーター８２が挿通されており、穴８１とヒーター８２との間には、熱伝導率の大きい（熱伝導に優れた）伝熱流体（例えば、耐熱放熱シリコン材、化学合成油、窒化ホウ素水溶液）が充填されている。
【００６２】
底面板７１の上面（内側面）には、断面視波形形状を呈する伝熱フィン８６が複数枚（本実施形態では８枚）設けられている。これら伝熱フィン８６は、底面板７１の上面から上方に向かって突出するようにして設けられており、上下方向および左右方向に沿って、（第３の）側面板（図示せず）の内面（内側面）から（第４の）側面板（図示せず）の内面（内側面）まで連続するようにして延びている。
なお、図４中の符号８７はオイル（潤滑油）を示している。
【００６３】
本実施形態に係るターボ冷凍機用圧縮機３Ｄのオイルタンク７０、すなわち、ヒーター８２を備えたターボ冷凍機用圧縮機３Ｄのオイルタンク７０によれば、底面板７１の上面から上方に向かって突出する複数枚の伝熱フィン８６が設けられているので、ヒーター８２によって温められる底面板７１とオイル８７との接触面積を増大させることができ、オイル８６をより効率よく温めることができて、より出力の小さいヒーターを採用することができる。
その他の作用効果は、上述した第２実施形態のものと同じであるので、ここではその説明を省略する。
【００６４】
なお、本発明は上述した実施形態に限定されるものではなく、適宜必要に応じて変形・変更して実施することもできる。
例えば、上述した第１実施形態では、保護管２２とヒーター２６との間に、熱伝導率の大きい伝熱流体を充填するようにしたが、この伝熱流体は、必須のものではない。
【００６５】
また、上述した第２実施形態では、穴４１とヒーター４２との間に、熱伝導率の大きい伝熱流体を充填するようにしたが、この伝熱流体は、必須のものではない。
【００６６】
さらに、上述した第３実施形態では、底面板５１の外表面、側面板５４の外表面、および図示しない側面板の外表面とヒーター６１との双方に密着するようにして、熱伝導率の大きい帯状の金属が挟み込まれるようにしたが、この金属は、必須のものではない。
【００６７】
さらにまた、上述した第３実施形態では、底面板５１の外表面、側面板５４の外表面、および図示しない側面板の外表面を覆うようにしてヒーター６１が取り付けられているものを一具体例として挙げて説明したが、本発明はこれに限定されるものではなく、底面板５１の外表面のみを覆うようにしてヒーターを取り付けることもできる。
【００６８】
さらにまた、上述した第４実施形態では、第２実施形態とフィン８６とを組み合わせたものを一実施形態として挙げて説明したが、本発明はこれに限定されるものではなく、第３実施形態とフィン８６とを組み合わせることもできる。
【００６９】
さらにまた、上述した第２実施形態、第３実施形態、第４実施形態のものでは、底面板および側面板が高温になるおそれがあるので、オイルの温度を測定する（第１の）温度計と、オイルタンクの温度を測定する（第２の）温度計とを設けて、オイルの温度およびオイルタンクの温度の双方を監視して、ヒーターをオン・オフさせるようにするとさらに好適である。
これにより、人の手が触れるおそれのあるオイルタンクの温度が過度に熱くなるのを防止することができ、安全性を向上させることができる。
【００７０】
さらにまた、第１実施形態、第２実施形態、第４実施形態ではオイルタンクの外側全体、第３実施形態ではオイルタンクおよびヒーターの外側全体が、保温材で覆われるようにするとさらに好適である。
これにより、放熱量を低減させて保温性を高めることができ、ヒーターの消費電力を低減させることができて、ランニングコストを低減させることができる。
【００７１】
さらにまた、第２実施形態、第４実施形態において、ヒーター４２，８２が５００Ｗの容量を有するヒーター×４本（合計２０００Ｗ）で構成されているとされているとさらに好適である。
これにより、例えば、オイルタンク３０，７０の温度が３０℃以下のときには、４本全部を使用してオイルタンク３０，７０を加熱し、オイルタンク３０，７０の温度が３０℃より高く５０℃よりも低いときには、４本のうちの３本を使用してオイルタンク３０，７０を加熱し、オイルタンク３０，７０の温度が５０℃以上のときには、４本のうちの２本を使用してオイルタンク３０，７０を加熱することができる。
すなわち、オイルの加熱時間に余裕のある、オイルタンク３０，７０の温度が高い条件では、ヒーター４２，８２からオイルタンク３０，７０への加熱量を小さくすることができて、周囲雰囲気への放熱量を小さくすることができる。
【符号の説明】
【００７２】
１Ａ  ターボ冷凍機
１Ｂ  ターボ冷凍機
１Ｃ  ターボ冷凍機
１Ｄ  ターボ冷凍機
３Ａ  ターボ冷凍機用圧縮機
３Ｂ  ターボ冷凍機用圧縮機
３Ｃ  ターボ冷凍機用圧縮機
３Ｄ  ターボ冷凍機用圧縮機
１０    オイルタンク
１１    底面板
１２    側面板
１３    側面板
１４    ケーシング
２１    貫通穴
２２    保護管
２６    ヒーター
３０    オイルタンク
３１    底面板
３２    側面板
３３    側面板
３４    ケーシング
４１    穴
４２    ヒーター
５０    オイルタンク
５１    底面板
５２    側面板
５３    側面板
５４    側面板
５５    ケーシング
６１    ヒーター
７０    オイルタンク
７１    底面板
７２    側面板
７３    側面板
７４    ケーシング
８１    穴
８２    ヒーター
【図１】
2014173435.tif 000003
【図２】
2014173435.tif 000004
【図３】
2014173435.tif 000005
【図４】
2014173435.tif 000006